(57)【要約】【課題】とくに複数個の食料品の包装容器から取り出した状態の食料品についてもその賞味期限等を明示可能な賞味期限等表示用ラベルおよびその貼付け方法を提供すること。【解決手段】ラベル本体２の一部にラベル分離用切り目６を形成して、本体領域ラベル７と分離領域ラベル片８とを画成しそれぞれに賞味期限等を表示可能としておくことに着目したもので、ラベル本体２にラベル分離用切り目６を形成して、賞味期限等を表示する本体領域ラベル７と、本体領域ラベル７から分離可能であるとともに賞味期限等を本体領域ラベル７とは別に表示する分離領域ラベル片８と、を画成可能とし、かつ、分離領域ラベル片８の裏面側における台紙３に台紙分離用切り目１２を形成して、本体領域ラベル７に対応する本体領域台紙１３と、本体領域台紙１３から分離可能であるとともに分離領域ラベル片８に対応する分離領域台紙片１４と、を画成可能としていることを特徴とする。【選択図】図１
2010152117.tif 000002
【特許請求の範囲】
【請求項１】
食料品についての賞味期限等を表示可能なラベル基材、およびこのラベル基材の裏面に設けてこの食料品の包装容器にこのラベル基材を貼り付け可能とする粘着剤層から構成するラベル本体と、
前記粘着剤層を介してこのラベル本体に仮着する台紙と、を有する賞味期限等表示用ラベルであって、
前記ラベル本体にラベル分離用切り目を形成して、
前記賞味期限等を表示する本体領域ラベルと、
この本体領域ラベルから分離可能であるとともに前記賞味期限等をこの本体領域ラベルとは別に表示する分離領域ラベル片と、を画成可能とし、かつ、
この分離領域ラベル片の裏面側における前記台紙に台紙分離用切り目を形成して、
前記本体領域ラベルに対応する本体領域台紙と、
この本体領域台紙から分離可能であるとともに前記分離領域ラベル片に対応する分離領域台紙片と、を画成可能としていることを特徴とする賞味期限等表示用ラベル。
【請求項２】
前記ラベル分離用切り目は、前記ラベル本体の内方部に位置しているとともに、
前記台紙分離用切り目は、前記台紙の内方部に位置していることを特徴とする請求項１記載の賞味期限等表示用ラベル。
【請求項３】
前記分離領域ラベル片は、
前記分離領域台紙片より小さくこれを形成していることを特徴とする請求項１又は２記載の賞味期限等表示用ラベル。
【請求項４】
前記分離領域ラベル片は、
前記分離領域台紙片より大きくこれを形成していることを特徴とする請求項１又は２記載の賞味期限等表示用ラベル。
【請求項５】
前記分離領域ラベル片は、
前記分離領域台紙片と同じ形状および大きさにこれを形成していることを特徴とする請求項１又は２記載の賞味期限等表示用ラベル。
【請求項６】
前記ラベル分離用切り目は、
その一部にもろい部分を形成していることを特徴とする請求項１ないし５のいずれかに記載の賞味期限等表示用ラベル。
【請求項７】
前記分離領域ラベル片は、
その一部につまみ用突出部を一体に有していることを特徴とする請求項１ないし６のいずれかに記載の賞味期限等表示用ラベル。
【請求項８】
前記分離領域ラベル片は、
その一部に折返し片を一体に形成していることを特徴とする請求項１ないし６のいずれかに記載の賞味期限等表示用ラベル。
【請求項９】
前記折返し片は、
前記分離領域ラベル片の幅と同一の長さを有していることを特徴とする請求項８記載の賞味期限等表示用ラベル。
【請求項１０】
前記折返し片は、
前記分離領域ラベル片の幅より長い長さを有していることを特徴とする請求項８記載の賞味期限等表示用ラベル。
【請求項１１】
食料品についての賞味期限等を表示可能なラベル基材、およびこのラベル基材の裏面に設けてこの食料品の包装容器にこのラベル基材を貼り付け可能とする粘着剤層から構成するラベル本体と、
前記粘着剤層を介してこのラベル本体に仮着する台紙と、を有する賞味期限等表示用ラベルの貼付け方法であって、
前記ラベル本体にラベル分離用切り目を形成して、
前記賞味期限等を表示する本体領域ラベルと、
この本体領域ラベルから分離可能であるとともに前記賞味期限等をこの本体領域ラベルとは別に表示する分離領域ラベル片と、を画成し、
この分離領域ラベル片の裏面側における前記台紙に台紙分離用切り目を形成して、
前記本体領域ラベルに対応する本体領域台紙と、
この本体領域台紙から分離可能であるとともに前記分離領域ラベル片に対応する分離領域台紙片と、を画成し、
この分離領域台紙片を前記分離領域ラベル片の裏面に仮着した状態のまま前記ラベル本体とともに前記台紙から剥離して、前記食料品の前記包装容器に貼り付けることを特徴とする賞味期限等表示用ラベルの貼付け方法。
【請求項１２】
前記分離領域ラベル片を前記分離領域台紙片から剥離して前記食料品あるいは前記包装容器に貼り付けることを特徴とする請求項１１記載の賞味期限等表示用ラベルの貼付け方法。
【請求項１３】
前記分離領域ラベル片を前記分離領域台紙片とともに前記本体領域ラベルから分離して、前記食料品あるいは前記包装容器に前記賞味期限を表示可能とすることを特徴とする請求項１１記載の賞味期限等表示用ラベルの貼付け方法。
【発明の詳細な説明】
【技術分野】
【０００１】
本発明は賞味期限等表示用ラベルおよびその貼付け方法にかかるもので、とくに複数個の食料品を包装している包装容器に、この食料品の賞味期限等を表示するための賞味期限等表示用ラベルおよびその貼付け方法に関するものである。
【背景技術】
【０００２】
従来から、各種食料品の賞味期限あるいは消費期限などの賞味期限等を賞味期限等表示用ラベルなどにより表示している。とくに複数個の食料品（たとえば卵など）を包装している包装容器（パックケース）には、賞味期限等表示用ラベルをその上面に貼り付けておく方法、その賞味期限等を記載した紙を入れておく方法、あるいは賞味期限等を印字した小さな賞味期限等表示用ラベルをそれぞれの卵に貼り付けておく方法、などがある。
【０００３】
しかしながら、卵などの食料品は、これをパックケースから出して冷蔵庫の卵収容棚などに移し替えると、賞味期限等が表示されているパックケースとは別になるため、その賞味期限等が不明となってしまう場合があるという問題がある。
さらに、まだ卵が残っていても新たに買うこともあり、より古い方から消費しようとしても賞味期限等の表示が明確でないと、古い方を残したまま新しい卵の方から消費してゆくというような不都合があるという問題がある。
なお、上記賞味期限等を記載した紙をパックケースに入れておく方法では、この紙代が別途かかるとともに、パックケースにこの紙を入れる手間がかかるという問題がある。
なおまた、賞味期限等を印字した小さな賞味期限等表示用ラベルをそれぞれの卵に貼り付けておく方法では、卵の個数分のラベルが必要であり、コストアップの問題とともに、それぞれの卵に貼り付ける手間がかかるという問題がある。
さらに、パックケースに入れたまま冷蔵庫などに保存している場合であっても、何らかの事情でひとつの卵をパックケースから取り出してすぐに消費しない場合に、その賞味期限等を明示しておく手段がないという問題がある。
【０００４】
【特許文献１】特開２００３−７２８０２号公報
【発明の開示】
【発明が解決しようとする課題】
【０００５】
本発明は以上のような諸問題にかんがみなされたもので、とくに複数個の食料品の包装容器に貼り付けて、賞味期限等を表示可能な賞味期限等表示用ラベルおよびその貼付け方法を提供することを課題とする。
【０００６】
また本発明は、包装容器から取り出した状態の食料品についてもその賞味期限等を明示可能な賞味期限等表示用ラベルおよびその貼付け方法を提供することを課題とする。
【０００７】
また本発明は、包装容器上における賞味期限表示から独立して食料品の賞味期限等を表示可能な賞味期限等表示用ラベルおよびその貼付け方法を提供することを課題とする。
【課題を解決するための手段】
【０００８】
すなわち本発明は、賞味期限等を表示可能なラベル本体の一部にラベル分離用切り目を形成して、本体領域ラベルと分離領域ラベル片とを画成し、それぞれに賞味期限等を表示可能としておくこと、および分離領域ラベル片の裏面側における台紙に台紙分離用切り目を形成して、本体領域台紙と分離領域台紙片とを画成することに着目したもので、第一の発明は、食料品についての賞味期限等を表示可能なラベル基材、およびこのラベル基材の裏面に設けてこの食料品の包装容器にこのラベル基材を貼り付け可能とする粘着剤層から構成するラベル本体と、上記粘着剤層を介してこのラベル本体に仮着する台紙と、を有する賞味期限等表示用ラベルであって、上記ラベル本体にラベル分離用切り目を形成して、上記賞味期限等を表示する本体領域ラベルと、この本体領域ラベルから分離可能であるとともに上記賞味期限等をこの本体領域ラベルとは別に表示する分離領域ラベル片と、を画成可能とし、かつ、この分離領域ラベル片の裏面側における上記台紙に台紙分離用切り目を形成して、上記本体領域ラベルに対応する本体領域台紙と、この本体領域台紙から分離可能であるとともに上記分離領域ラベル片に対応する分離領域台紙片と、を画成可能としていることを特徴とする賞味期限等表示用ラベルである。
上記ラベル分離用切り目は、上記ラベル本体の内方部に位置しているとともに、上記台紙分離用切り目は、上記台紙の内方部に位置していることができる。
上記分離領域ラベル片は、上記分離領域台紙片より小さくこれを形成していることができる。
上記分離領域ラベル片は、上記分離領域台紙片より大きくこれを形成していることができる。
上記分離領域ラベル片は、上記分離領域台紙片と同じ形状および大きさにこれを形成していることができる。
上記ラベル分離用切り目は、その一部にもろい部分を形成していることができる。
上記分離領域ラベル片は、その一部につまみ用突出部を一体に有していることができる。
上記分離領域ラベル片は、その一部に折返し片を一体に形成していることができる。
上記折返し片は、上記分離領域ラベル片の幅と同一の長さを有していることができる。
上記折返し片は、上記分離領域ラベル片の幅より長い長さを有していることができる。
第二の発明は、食料品についての賞味期限等を表示可能なラベル基材、およびこのラベル基材の裏面に設けてこの食料品の包装容器にこのラベル基材を貼り付け可能とする粘着剤層から構成するラベル本体と、上記粘着剤層を介してこのラベル本体に仮着する台紙と、を有する賞味期限等表示用ラベルの貼付け方法であって、上記ラベル本体にラベル分離用切り目を形成して、上記賞味期限等を表示する本体領域ラベルと、この本体領域ラベルから分離可能であるとともに上記賞味期限等をこの本体領域ラベルとは別に表示する分離領域ラベル片と、を画成し、この分離領域ラベル片の裏面側における上記台紙に台紙分離用切り目を形成して、上記本体領域ラベルに対応する本体領域台紙と、この本体領域台紙から分離可能であるとともに上記分離領域ラベル片に対応する分離領域台紙片と、を画成し、この分離領域台紙片を上記分離領域ラベル片の裏面に仮着した状態のまま上記ラベル本体とともに上記台紙から剥離して、上記食料品の上記包装容器に貼り付けることを特徴とする賞味期限等表示用ラベルの貼付け方法である。
上記分離領域ラベル片を上記分離領域台紙片から剥離して上記食料品あるいは上記包装容器に貼り付けることができる。
上記分離領域ラベル片を上記分離領域台紙片とともに上記本体領域ラベルから分離して、上記食料品あるいは上記包装容器に上記賞味期限等を表示可能とすることができる。
【発明の効果】
【０００９】
本発明による賞味期限等表示用ラベルおよびその貼付け方法においては、ラベル本体の一部にラベル分離用切り目を形成して本体領域ラベルと分離領域ラベル片とを画成し、それぞれに賞味期限等を表示可能としておくとともに、分離領域ラベル片の裏面側における台紙の一部に台紙分離用切り目を形成して本体領域台紙と分離領域台紙片とを画成するようにしたので、食料品の包装容器に分離領域台紙片とともにラベル本体を貼り付け、この貼り付けた状態のラベル本体から分離領域ラベル片をはがして個々の食料品に貼り付けるか、あるいは包装容器とは異なる部位にこれを貼り付けて賞味期限等を表示することができる。
【００１０】
とくに第一の発明によれば、ラベル本体の一部にラベル分離用切り目を形成して本体領域ラベルと分離領域ラベル片とを画成したので、本体領域ラベルおよび分離領域ラベル片によりそれぞれ賞味期限等を独立に表示可能とし、必要に応じて複数の食料品のうちの任意のものに賞味期限等を表示しておくことができる。
【００１１】
とくに第二の発明によれば、分離領域台紙片を分離領域ラベル片の裏面に仮着した状態のままラベル本体とともに台紙から剥離して食料品の包装容器に貼り付けるようにしたので、賞味期限等を別途表示した分離領域ラベル片を必要に応じてラベル本体（本体領域ラベル）からはがして任意の食料品あるいはその保存箇所に賞味期限等の表示を行うことができる。
【発明を実施するための最良の形態】
【００１２】
本発明は、ラベル本体の一部にラベル分離用切り目を形成するとともに、台紙の一部に台紙分離用切り目を形成して、分離領域ラベル片をはがすことができるようにしたので、従来のラベルに簡単な加工を施すだけで、とくに包装容器内に収容された複数個の食料品について適正な賞味期限等の管理を行うことができる賞味期限等表示用ラベルおよびその貼付け方法を実現した。
【実施例】
【００１３】
つぎに本発明の第１の実施例による賞味期限等表示用ラベル１およびその貼付け方法を図１ないし図６にもとづき説明する。
図１は、賞味期限等表示用ラベル１の複数枚を連設状に設けてラベル連続体とした形態の平面図、図２は、図１のＩＩ−ＩＩ線断面図であって、賞味期限等表示用ラベル１は、複数枚のラベル本体２と、ラベル本体２をその表面に仮着している帯状の台紙３（剥離紙）と、を有する。
ラベル本体２は、食料品についての賞味期限等を表示可能な任意の紙材あるいは合成樹脂材によりシート状に形成したラベル基材４と、ラベル基材４の裏面に設けて食料品の包装容器Ｃ（図４）にラベル基材４を貼り付け可能とする粘着剤層５と、からこれを構成している。
台紙３は、剥離性の表面を有し、ラベル本体２の裏面側に粘着剤層５を介してラベル本体２に仮着している。
【００１４】
ラベル本体２は、その内方部に位置して閉鎖状のラベル分離用切り目６を形成して、本体領域ラベル７および分離領域ラベル片８を画成可能としている。
本体領域ラベル７には、たとえば卵についての必要な各種の食料品情報を印字して表示可能であり、とくに第１の賞味期限表示部９に卵の賞味期限を表示することができる。
分離領域ラベル片８は、その両端部を半円弧形状とした細長状であって、本体領域ラベル７からラベル分離用切り目６によりこれを分離可能であるとともに、その第２の賞味期限表示部１０に賞味期限を本体領域ラベル７とは別に表示することができる。なお、この分離領域ラベル片８を明示するために、たとえば「賞味期限がはがせます」などの注意書きをしておくこともできる。
なお、ラベル本体２には折り用ミシン目１１を形成してあり、包装容器Ｃにラベル本体２を貼り付ける際に、包装容器Ｃの形状に沿って貼り付けられるようにしてある（図４を参照）。
【００１５】
台紙３には、その内方部に位置して分離領域ラベル片８の裏面側に閉鎖状の台紙分離用切り目１２を形成して、本体領域ラベル７に対応する本体領域台紙１３と、本体領域台紙１３から分離可能であるとともに分離領域ラベル片８に対応する矩形状の分離領域台紙片１４と、を画成可能としている。
ただし、分離領域台紙片１４は、分離領域ラベル片８より大きくこれを形成し、分離領域ラベル片８が分離領域台紙片１４のほぼ中央部に位置するようにしている。
なお、上記ラベル分離用切り目６および台紙分離用切り目１２のそれぞれの形状は、図示の例に限らず、長方形あるいは円形や楕円形その他任意の形状を採用することができるとともに、それぞれの形状の組み合わせも任意である。
【００１６】
こうした構成の賞味期限等表示用ラベル１において、賞味期限等表示用ラベル１をたとえば自動ラベル貼付け機（図示せず）などに装填して、台紙３のみをその転向部において転向させてラベル本体２を台紙３から剥離し、包装容器Ｃに貼り付けて販売する。
すなわち図３は、ラベル本体２の貼付け状態の、図２と同様の断面図、図４は、ラベル本体２の貼付け状態の斜視図であって、分離領域ラベル片８の下方部（裏面側）に分離領域台紙片１４が仮着したままの状態で本体領域ラベル７の裏面部の粘着剤層５によりラベル本体２全体が包装容器Ｃに貼り付けられる。
すなわち、上記自動ラベル貼付け機の転向部における剥離操作の際に、分離領域台紙片１４を分離領域ラベル片８および本体領域ラベル７の裏面に仮着した状態のままラベル本体２とともに台紙３から剥離して、食料品の包装容器Ｃに貼り付ける。
【００１７】
図５は、分離領域ラベル片８をラベル本体２および分離領域台紙片１４から分離して食料品（卵Ｅ）に貼り付ける状態を説明する、図２と同様の断面図である。
消費者は、購入した卵Ｅを包装容器Ｃから取り出して消費してゆくが、分離領域ラベル片８は分離領域台紙片１４に裏打ちされているので、分離領域台紙片１４から剥離することができ、残った卵Ｅのいずれかにこれを貼り付けておくことにより、包装容器Ｃから取り出した状態の卵Ｅについても分離領域ラベル片８の第２の賞味期限表示部１０により的確に賞味期限を表示可能である。
【００１８】
もちろん、分離領域ラベル片８を分離領域台紙片１４から剥離して食料品の他の保存箇所に貼り付け可能である。
たとえば図６は、冷蔵庫の開閉ドアの内側に設けている卵ボックスＢの斜視図であって、この卵ボックスＢの側面に分離領域ラベル片８を貼り付けておくこともできる。
かくして、卵Ｅの購入者の消費態様に応じて、賞味期限について任意の形態で適正に管理を行うことを可能とする。
【００１９】
つぎに図７は、本発明の第２の実施例による賞味期限等表示用ラベル２０の平面図、図８は、図７のＶＩＩＩ−ＶＩＩＩ線断面図である。
賞味期限等表示用ラベル２０は、賞味期限等表示用ラベル１（図１）と同様に、ラベル本体２および台紙３を有するが、ラベル分離用切り目２１により前記本体領域ラベル７（図１）と、前記分離領域ラベル片８（図１）と同様の分離領域ラベル片２２と、を形成可能とする。ただし、ラベル分離用切り目２１には、望ましくは賞味期限等表示用ラベル２０の移送方向前方側の半円弧部においてその一部にもろい部分２１Ａを形成し、このもろい部分２１Ａを切り破ることにより分離領域ラベル片２２をラベル本体２から分離可能としている。
【００２０】
台紙３には、台紙分離用切り目２３により、前記本体領域台紙１３（図１）と同様の本体領域台紙２５と、分離領域台紙片１４（図１）と同様の分離領域台紙片２５と、を形成可能とする。ただし、分離領域ラベル片２２と分離領域台紙片２５とは、互いに同じ形状および大きさにこれを形成しているとともに、表裏面において互いに同一位置にこれを形成している。
【００２１】
こうした構成の賞味期限等表示用ラベル２０においては、台紙３からラベル本体２および分離領域台紙片２５を剥離して包装容器Ｃに貼り付ける。
図９は、ラベル本体２および分離領域台紙片２５を包装容器Ｃに貼り付けた状態の断面図であって、ラベル分離用切り目２１にはもろい部分２１Ａが形成してあるので、台紙３のみを転向させる自動剥離の際にも、分離領域ラベル片２２がラベル本体２から分離することなく、さらに分離領域台紙片２５を分離領域ラベル片２２の裏面側に残したまま包装容器Ｃに貼り付けることができる。
【００２２】
図１０は、図９と同様の断面図であって、ラベル本体２においてラベル分離用切り目２１および台紙分離用切り目２３の部分から分離領域台紙片２５付きの分離領域ラベル片２２として分離可能であり、分離領域ラベル片２２を分離領域台紙片２５とともに本体領域ラベル７から分離し、分離領域台紙片２５に裏打ちされた状態の分離領域ラベル片２２として食料品（たとえば卵Ｅ）あるいはその保存箇所の近傍に置いておくことにより、賞味期限を表示可能としている。
【００２３】
つぎに図１１は、本発明の第３の実施例による賞味期限等表示用ラベル３０の斜視図、図１２は、同、分解斜視図、図１３は、図１１のＸＩＩＩ−ＸＩＩＩ線断面図である。
賞味期限等表示用ラベル３０においては、ラベル本体２におけるラベル分離用切り目６により形成された分離領域ラベル片８は、台紙３における台紙分離用切り目３１により形成された分離領域台紙片３２より大きくこれを形成している。この分離領域台紙片３２は、分離領域ラベル片８のほぼ中央部に位置してこれを設けることが望ましい。
【００２４】
こうした構成の賞味期限等表示用ラベル３０においては、卵Ｅあるいは卵ボックスＢなどに貼り付けた分離領域ラベル片８をはがし易くすることができる。
すなわち図１４は、分離領域ラベル片８を分離領域台紙片３２とともに賞味期限等表示用ラベル３０のラベル本体２および台紙３から分離した状態の斜視図、図１５は、卵ボックスＢに分離領域ラベル片８を分離領域台紙片３２とともに貼り付けた状態を示す断面図であって、分離領域ラベル片８の裏面側の粘着剤層５が分離領域台紙片３２によりその粘着面積を減少されているので、賞味期限の表示が不要となったときに卵Ｅあるいは卵ボックスＢなどから分離領域ラベル片８を分離領域台紙片３２とともに容易にはがすことができる。
【００２５】
つぎに図１６は、本発明の第４の実施例による賞味期限等表示用ラベル４０の平面図、図１７は、図１６のＸＶＩＩ−ＸＶＩＩ線断面図であって、賞味期限等表示用ラベル４０は、ラベル分離用切り目４１により分離領域ラベル片４２を形成する。
ただし、賞味期限等表示用ラベル４０の移送方向に沿った分離領域ラベル片４２の半円弧部前後に一対のもろい部分４１Ａを残しているとともに、分離領域ラベル片４２は、その一部につまみ用突出部４２Ａを一体に有している。
【００２６】
なお台紙３には、図１において前述した賞味期限等表示用ラベル１と同様に、前記台紙分離用切り目１２により、上記分離領域ラベル片４２に裏打ちした状態でより大きな矩形状の前記分離領域台紙片１４を形成している。
【００２７】
こうした構成の賞味期限等表示用ラベル４０においては、ラベル分離用切り目４１にもろい部分４１Ａが形成されているので、台紙３からラベル本体２を自動剥離する際にも分離領域ラベル片４２が台紙３ないしその分離領域台紙片１４からすぐにはがれてしまうことを防止する。
図１８は、台紙３からはがした状態のラベル本体２および分離領域台紙片１４を包装容器Ｃに貼り付けた状態を示す断面図であって、分離領域ラベル片４２にはつまみ用突出部４２Ａが形成されているので、つまみ用突出部４２Ａをつまんで、同部分から分離領域ラベル片４２を図１８に示す状態から容易にはがすとともに、必要な部分に貼り付けることができる。
【００２８】
つぎに図１９は、本発明の第５の実施例による賞味期限等表示用ラベル５０の斜視図であって、賞味期限等表示用ラベル５０においては、ラベル分離用切り目５１により分離領域ラベル片５２を形成可能としている。
なお図示はこれを省略するが、台紙３には、たとえば図１において前述した賞味期限等表示用ラベル１と同様に、分離領域ラベル片５２に裏打ちする状態でより大きな矩形状の分離領域台紙片を形成しておくものとする。
【００２９】
図２０は、分離領域ラベル片５２の斜視図、および卵Ｅと包装容器Ｃに分離領域ラベル片５２を貼り付けた状態の斜視図であって、分離領域ラベル片５２は、その矩形状本体の側縁の一部（図示の例では、左右側縁の一方）に図中上方に延びる折返し片５３を一体に形成している凸型形状である。
折返し片５３は、分離領域ラベル片５２の幅と同一の長さを有している。
【００３０】
こうした構成の賞味期限等表示用ラベル５０において、ラベル本体２からラベル分離用切り目５１により分離した分離領域ラベル片５２を卵Ｅ、卵ボックスＢや包装容器Ｃなど任意の部分に貼り付けて賞味期限を別途表示可能であるが、折返し片５３を分離領域ラベル片５２の裏側に折り返して貼り付けておくことができる。
したがって、賞味期限の表示が不要となったときに卵Ｅあるいは卵ボックスＢや包装容器Ｃなどからこの分離領域ラベル片５２をはがす操作が容易である。
すなわち図２１は、分離領域ラベル片５２において折返し片５３を分離領域ラベル片５２の裏側に折り返した状態を示す斜視図であって、図示のように、折返し片５３の部分が分離領域ラベル片５２の裏面における粘着剤層５の粘着面積を減少させることができるので、分離領域ラベル片５２を容易にはがすことができる。
もちろん、図２０に示すように、折返し片５３を折り返すことなく卵Ｅなどに貼り付けることもできるとともに、分離領域ラベル片５２を包装容器Ｃの蓋部と容器本体とを閉鎖状態に貼り付け固定するためのラベル用紙としても利用することができる
【００３１】
なお、上記折返し片５３の形成部位は、分離領域ラベル片５２の周縁部における、たとえば側縁部の中央部位あるいは端部位など任意の部位でよく、分離領域ラベル片５２の裏面にこれを折り返すことにより、粘着剤層５の粘着面積を減らすことができればよいものである。
【００３２】
つぎに図２２は、本発明の第６の実施例による賞味期限等表示用ラベル６０の斜視図であって、賞味期限等表示用ラベル６０においては、ラベル分離用切り目６１により分離領域ラベル片６２を形成可能としている。
なお図示はこれを省略するが、台紙３には、たとえば図１において前述した賞味期限等表示用ラベル１と同様に、分離領域ラベル片６２に裏打ちする状態でより大きな矩形状の分離領域台紙片を形成しておくものとする。
分離領域ラベル片６２は、その矩形状本体の側縁の一部（図示の例では、左右側縁の一方）に折返し片６３を一体に形成している。
折返し片６３は、分離領域ラベル片６２の幅より長い長さを有している。
【００３３】
こうした構成の賞味期限等表示用ラベル６０において、ラベル本体２からラベル分離用切り目６１により分離した分離領域ラベル片６２を卵Ｅ、卵ボックスＢや包装容器Ｃなど任意の部分に貼り付けて賞味期限を別途表示可能であるが、折返し片６３を分離領域ラベル片６２の裏側に折り返して貼り付けておくことができる。
したがって、賞味期限の表示が不要となったときに卵Ｅあるいは卵ボックスＢや包装容器Ｃなどからこの分離領域ラベル片６２をはがす操作が容易である。
すなわち図２３は、分離領域ラベル片６２において折返し片６３を分離領域ラベル片６２の裏側に折り返した状態を示す斜視図であって、図示のように、折返し片６３の部分が分離領域ラベル片６２の裏面における粘着剤層５の粘着面積を減少させることができるとともに、折返し片６３の先端部が所定の長さ分だけ分離領域ラベル片６２の側面から突出することになるので、この先端部をつまんで分離領域ラベル片６２をつまみ取ることができ、さらに容易にはがすことができる。
【００３４】
つぎに図２４は、本発明の第７の実施例による賞味期限等表示用ラベル７０の斜視図であって、賞味期限等表示用ラベル７０においては、ラベル分離用切り目７１により分離領域ラベル片７２を形成可能としている。
分離領域ラベル片７２は、そのいずれかの端部に折返し片７３を一体に形成しているＬ字型形状であって、この折返し片７３は、分離領域ラベル片７２の幅と同一あるいはより長い長さを有することができる。
【００３５】
こうした構成の賞味期限等表示用ラベル７０において、ラベル本体２からラベル分離用切り目７１により分離した分離領域ラベル片７２を卵Ｅ、卵ボックスＢや包装容器Ｃなど任意の部分に貼り付けて賞味期限を別途表示可能であるが、折返し片７３を分離領域ラベル片７２の裏側に折り返して貼り付けておくことができる。
この折返し片７３は、分離領域ラベル片７２の端部に位置しているので、賞味期限の表示が不要となったときに卵Ｅあるいは卵ボックスＢや包装容器Ｃなどからこの分離領域ラベル片７２をその端部からはがすことが可能であり、はがす操作がさらに容易である。
【００３６】
つぎに図２５は、本発明の第８の実施例による賞味期限等表示用ラベル８０の斜視図であって、賞味期限等表示用ラベル８０においては、ラベル分離用切り目８１により分離領域ラベル片８２を形成可能としている。
分離領域ラベル片８２は、その中央部に図中下方に延びる折返し片８３を一体に形成しているＴ字型形状であって、この折返し片８３は、分離領域ラベル片８２の幅と同一あるいはより長い長さを有することができる。
【００３７】
こうした構成の賞味期限等表示用ラベル８０において、ラベル本体２からラベル分離用切り目８１により分離した分離領域ラベル片８２を卵Ｅ、卵ボックスＢや包装容器Ｃなど任意の部分に貼り付けて賞味期限を別途表示可能であるが、折返し片８３を分離領域ラベル片８２の裏側に折り返して貼り付けておくことができる。
このＴ字型形状の折返し片８３は、前述した凸型形状の折返し片５２（図１９）とは上下逆となる形状ではあるが、ラベル本体２上にレイアウトされる各種のデザインに対応してこれを採用することができる。
【図面の簡単な説明】
【００３８】
【図１】本発明の第１の実施例による賞味期限等表示用ラベル１の複数枚を連設状に設けてラベル連続体とした形態の平面図である。
【図２】同、図１のＩＩ−ＩＩ線断面図である。
【図３】同、ラベル本体２の貼付け状態の、図２と同様の断面図である。
【図４】同、包装容器Ｃへのラベル本体２の貼付け状態の斜視図である。
【図５】同、分離領域ラベル片８をラベル本体２および分離領域台紙片１４から分離して食料品（卵Ｅ）に貼り付ける状態を説明する、図２と同様の断面図である。
【図６】同、冷蔵庫の開閉ドアの内側に設けている卵ボックスＢの斜視図である。
【図７】本発明の第２の実施例による賞味期限等表示用ラベル２０の平面図である。
【図８】同、図７のＶＩＩＩ−ＶＩＩＩ線断面図である。
【図９】同、ラベル本体２および分離領域台紙片２５を包装容器Ｃに貼り付けた状態の断面図である。
【図１０】同、図９と同様の断面図である。
【図１１】本発明の第３の実施例による賞味期限等表示用ラベル３０の斜視図である。
【図１２】同、分解斜視図である。
【図１３】同、図１１のＸＩＩＩ−ＸＩＩＩ線断面図である。
【図１４】同、分離領域ラベル片８を分離領域台紙片３２とともに賞味期限等表示用ラベル３０のラベル本体２および台紙３から分離した状態の斜視図である。
【図１５】同、卵ボックスＢに分離領域ラベル片８を分離領域台紙片３２とともに貼り付けた状態を示す断面図である。
【図１６】本発明の第４の実施例による賞味期限等表示用ラベル４０の平面図である。
【図１７】同、図１６のＸＶＩＩ−ＸＶＩＩ線断面図である。
【図１８】同、台紙３からはがした状態のラベル本体２および分離領域台紙片１４を包装容器Ｃに貼り付けた状態を示す断面図である。
【図１９】本発明の第５の実施例による賞味期限等表示用ラベル５０の斜視図である。
【図２０】同、分離領域ラベル片５２の斜視図、および卵Ｅと包装容器Ｃに分離領域ラベル片５２を貼り付けた状態の斜視図である。
【図２１】同、分離領域ラベル片５２において折返し片５３を分離領域ラベル片５２の裏側に折り返した状態を示す斜視図である。
【図２２】本発明の第６の実施例による賞味期限等表示用ラベル６０の斜視図である。
【図２３】同、分離領域ラベル片６２において折返し片６３を分離領域ラベル片６２の裏側に折り返した状態を示す斜視図である。
【図２４】本発明の第７の実施例による賞味期限等表示用ラベル７０の斜視図である。
【図２５】本発明の第８の実施例による賞味期限等表示用ラベル８０の斜視図である。
【符号の説明】
【００３９】
１  賞味期限等表示用ラベル（第１の実施例、図１）
２  ラベル本体
３  台紙
４  ラベル基材
５  粘着剤層
６  ラベル分離用切り目
７  ラベル本体２の本体領域ラベル
８  ラベル本体２の分離領域ラベル片
９  本体領域ラベル７における第１の賞味期限表示部
１０  分離領域ラベル片８における第２の賞味期限表示部
１１  折り用ミシン目
１２  台紙分離用切り目
１３  台紙３の本体領域台紙
１４  台紙３の分離領域台紙片
２０  賞味期限等表示用ラベル（第２の実施例、図７）
２１  ラベル分離用切り目
２１Ａ  ラベル分離用切り目２１のもろい部分
２２  分離領域ラベル片
２３  台紙分離用切り目
２４  本体領域台紙
２５  分離領域台紙片
３０  賞味期限等表示用ラベル（第３の実施例、図１１）
３１  台紙分離用切り目
３２  分離領域台紙片
４０  賞味期限等表示用ラベル（第４の実施例、図１６）
４１  ラベル分離用切り目
４１Ａ  ラベル分離用切り目４１のもろい部分
４２  分離領域ラベル片
４２Ａ  分離領域ラベル片４２のつまみ用突出部
５０  賞味期限等表示用ラベル（第５の実施例、図１９）
５１  ラベル分離用切り目
５２  分離領域ラベル片
５３  折返し片
６０  賞味期限等表示用ラベル（第６の実施例、図２２）
６１  ラベル分離用切り目
６２  分離領域ラベル片
６３  折返し片
７０  賞味期限等表示用ラベル（第７の実施例、図２４）
７１  ラベル分離用切り目
７２  分離領域ラベル片
７３  折返し片
８０  賞味期限等表示用ラベル（第８の実施例、図２５）
８１  ラベル分離用切り目
８２  分離領域ラベル片
８３  折返し片
Ｃ    包装容器（卵Ｅのパックケース）
Ｅ    卵（食料品、図５）
Ｂ    卵ボックス（図６）
【図１】
2010152117.tif 000003
【図２】
2010152117.tif 000004
【図３】
2010152117.tif 000005
【図４】
2010152117.tif 000006
【図５】
2010152117.tif 000007
【図６】
2010152117.tif 000008
【図７】
2010152117.tif 000009
【図８】
2010152117.tif 000010
【図９】
2010152117.tif 000011
【図１０】
2010152117.tif 000012
【図１１】
2010152117.tif 000013
【図１２】
2010152117.tif 000014
【図１３】
2010152117.tif 000015
【図１４】
2010152117.tif 000016
【図１５】
2010152117.tif 000017
【図１６】
2010152117.tif 000018
【図１７】
2010152117.tif 000019
【図１８】
2010152117.tif 000020
【図１９】
2010152117.tif 000021
【図２０】
2010152117.tif 000022
【図２１】
2010152117.tif 000023
【図２２】
2010152117.tif 000024
【図２３】
2010152117.tif 000025
【図２４】
2010152117.tif 000026
【図２５】
2010152117.tif 000027